(57)【特許請求の範囲】
【請求項１】
複数の電動ポンプと、
前記複数の電動ポンプにより排水される領域の水位を検知する水位検知部と、
前記水位検知部により検知した水位に基づいて、前記複数の電動ポンプを交互に運転させる制御装置とを備え、
前記制御装置は、運転中の前記電動ポンプの運転時間が第１所定時間を超過する毎に、第１予備警告通知を行うように構成されているとともに、前記複数の電動ポンプのうち同一の前記電動ポンプについて、運転時間が前記第１所定時間を２以上の所定回数超過したことに基づいて、警告通知を行うように構成されている、電動ポンプシステム。
【請求項２】
前記制御装置は、前記複数の電動ポンプのうち同一の前記電動ポンプについて、運転時間が前記第１所定時間を２以上の所定回数連続して超過したことに基づいて、警告通知を行うように構成されている、請求項１に記載の電動ポンプシステム。
【請求項３】
前記制御装置は、運転時の運転時間が前記第１所定時間を超過して前記第１予備警告通知が行われている前記電動ポンプについて、次の運転時の運転時間が前記第１所定時間以内である場合に、前記第１予備警告通知を解除するように構成されている、請求項１または２に記載の電動ポンプシステム。
【請求項４】
前記制御装置は、運転中の前記電動ポンプの運転時間が前記第１所定時間を超過した場合に、運転中の前記電動ポンプの運転を継続しながら、前記複数の電動ポンプのうち運転停止中の前記電動ポンプを運転させるように構成されている、請求項１〜３のいずれか１項に記載の電動ポンプシステム。
【請求項５】
前記制御装置は、運転中の前記電動ポンプの運転時間が前記第１所定時間を超過した場合に、運転中の前記電動ポンプの運転を継続しながら、運転停止中の前記電動ポンプを運転させた場合において、運転時間が第２所定時間を超過したことに基づいて、第２予備警告通知を行うように構成されている、請求項４に記載の電動ポンプシステム。
【請求項６】
前記制御装置は、前記複数の電動ポンプに対する電力の供給を切り替えることにより、前記複数の電動ポンプを交互に運転させる制御を行うように構成されている、請求項１〜５のいずれか１項に記載の電動ポンプシステム。
【請求項７】
前記制御装置は、運転時間が前記第１所定時間を２以上の所定回数連続して超過した前記電動ポンプについて、今後の運転を中止するように構成されている、請求項１〜６のいずれか１項に記載の電動ポンプシステム。
【請求項８】
複数の電動ポンプにより排水される領域の水位を検知する水位検知部により検知された水位に基づいて、前記複数の電動ポンプを交互に運転させる制御部と、
通知部とを備え、
前記制御部は、運転中の前記電動ポンプの運転時間が所定時間を超過する毎に、予備警告通知を行うように構成されているとともに、前記複数の電動ポンプのうち同一の前記電動ポンプについて、運転時間が前記所定時間を２以上の所定回数超過したことに基づいて、前記通知部により警告通知を行うように構成されている、電動ポンプ交互運転制御装置。
【発明の詳細な説明】
【技術分野】
【０００１】
この発明は、電動ポンプシステムおよび電動ポンプ交互運転制御装置に関する。
【背景技術】
【０００２】
従来、電動ポンプシステムが知られている（たとえば、特許文献１参照）。
【０００３】
上記特許文献１には、２つのポンプと、２つのポンプを交互運転させる制御盤とを備える汚水搬送ポンプ装置（電動ポンプシステム）が開示されている。この汚水搬送ポンプ装置では、制御盤は、２つのポンプの平均運転時間の差分を算出し、算出した差分が閾値を超えた場合、平均運転時間の長いポンプを異常と判定するとともに、異常と判定したポンプを用いないようにする制御を行うように構成されている。
【先行技術文献】
【特許文献】
【０００４】
【特許文献１】特開２０１５−０３４５１３号公報
【発明の概要】
【発明が解決しようとする課題】
【０００５】
しかしながら、上記特許文献１の汚水搬送ポンプ装置（電動ポンプシステム）では、ポンプにより排水する領域への水の流入量が一時的に多かった場合などで、１つのポンプの運転時間が長くなった場合でも、異常と判定されて、異常と判定されたポンプを用いないように制御される。このため、使用可能なポンプが用いられない場合があるという不都合がある。このため、複数のポンプを交互に効率よく用いて排水することが困難であるという問題点がある。
【０００６】
この発明は、上記のような課題を解決するためになされたものであり、この発明の１つの目的は、複数の電動ポンプを交互に効率よく用いて排水することが可能な電動ポンプシステムおよび電動ポンプ交互運転制御装置を提供することである。
【課題を解決するための手段】
【０００７】
この発明の第１の局面による電動ポンプシステムは、複数の電動ポンプと、複数の電動ポンプにより排水される領域の水位を検知する水位検知部と、水位検知部により検知した水位に基づいて、複数の電動ポンプを交互に運転させる制御装置とを備え、制御装置は、運転中の電動ポンプの運転時間が第１所定時間を超過する毎に、第１予備警告通知を行うように構成されているとともに、複数の電動ポンプのうち同一の電動ポンプについて、運転時間が第１所定時間を２以上の所定回数超過したことに基づいて、警告通知を行うように構成されている。
【０００８】
この発明の第１の局面による電動ポンプシステムでは、上記のように、複数の電動ポンプのうち同一の電動ポンプについて、運転時間が第１所定時間を２以上の所定回数超過したことに基づいて、警告通知を行う制御装置を設ける。これにより、水の流入量が一時的に多くなったことなどにより、複数の電動ポンプのうち１つの電動ポンプの運転時間が長くなった場合でも、少なくとも２回目の運転機会においては運転させることができるので、１回目の運転時に運転時間が長くなった電動ポンプを用いるのを即座に中止する場合と異なり、使用可能な電動ポンプを用い続けることができる。その結果、複数の電動ポンプを交互に効率よく用いて排水することができる。また、同一の電動ポンプについて、運転時間が第１所定時間を２以上の所定回数超過したことに基づいて、警告通知を行うことにより、不具合が生じている可能性が高い電動ポンプをユーザに適切に知らせることができる。
【０００９】
上記第１の局面による電動ポンプシステムにおいて、好ましくは、制御装置は、複数の電動ポンプのうち同一の電動ポンプについて、運転時間が第１所定時間を２以上の所定回数連続して超過したことに基づいて、警告通知を行うように構成されている。このように構成すれば、複数の電動ポンプのうち同一の電動ポンプについて、複数回連続して運転時間が長い場合に、警告通知が行われるので、不具合が生じている可能性が高い電動ポンプをユーザにより適切に知らせることができる。
【００１０】
上記第１の局面による電動ポンプシステムでは、制御装置は、運転中の電動ポンプの運転時間が第１所定時間を超過した場合に、第１予備警告通知を行うように構成されている。これにより、電動ポンプの運転時間が長くなったことを第１予備警告通知によりユーザが容易に認識することができる。
【００１１】
上記第１の局面による電動ポンプシステムにおいて、好ましくは、制御装置は、運転時の運転時間が第１所定時間を超過して第１予備警告通知が行われている電動ポンプについて、次の運転時の運転時間が第１所定時間以内である場合に、第１予備警告通知を解除するように構成されている。このように構成すれば、水の流入量が一時的に多くなったことなどにより、電動ポンプの運転時間が偶然長くなった場合に、第１予備警告通知が継続されるのを回避することができるので、誤った警告が通知されるのを抑制することができる。
【００１２】
上記第１の局面による電動ポンプシステムにおいて、好ましくは、制御装置は、運転中の電動ポンプの運転時間が第１所定時間を超過した場合に、運転中の電動ポンプの運転を継続しながら、複数の電動ポンプのうち運転停止中の電動ポンプを運転させるように構成されている。このように構成すれば、１つの電動ポンプでの排水が間に合わない場合に、複数の電動ポンプを用いて排水することができるので、確実に排水を行うことができる。
【００１３】
この場合、好ましくは、制御装置は、運転中の電動ポンプの運転時間が第１所定時間を超過した場合に、運転中の電動ポンプの運転を継続しながら、運転停止中の電動ポンプを運転させた場合において、運転時間が第２所定時間を超過したことに基づいて、第２予備警告通知を行うように構成されている。このように構成すれば、複数の電動ポンプを用いて排水した場合でもなお運転時間が長くなったことを第２予備警告通知によりユーザが容易に認識することができる。
【００１４】
上記第１の局面による電動ポンプシステムにおいて、好ましくは、制御装置は、複数の電動ポンプに対する電力の供給を切り替えることにより、複数の電動ポンプを交互に運転させる制御を行うように構成されている。このように構成すれば、電動ポンプに複雑な制御をさせる必要がないので、装置構成を簡素化することができる。また、既存の電動ポンプを制御装置に複数接続することにより、容易に電動ポンプシステムを構成することができる。
【００１５】
上記第１の局面による電動ポンプシステムにおいて、好ましくは、制御装置は、運転時間が第１所定時間を２以上の所定回数連続して超過した電動ポンプについて、今後の運転を中止するように構成されている。このように構成すれば、不具合が生じている可能性が高い電動ポンプの運転が中止されるので、正常に動作可能な電動ポンプのみを運転させることで排水を行うことができる。
【００１６】
この発明の第２の局面による電動ポンプ交互運転制御装置は、複数の電動ポンプにより排水される領域の水位を検知する水位検知部により検知された水位に基づいて、複数の電動ポンプを交互に運転させる制御部と、通知部とを備え、制御部は、運転中の電動ポンプの運転時間が所定時間を超過する毎に、予備警告通知を行うように構成されているとともに、複数の電動ポンプのうち同一の電動ポンプについて、運転時間が所定時間を２以上の所定回数超過したことに基づいて、通知部により警告通知を行うように構成されている。
【００１７】
この発明の第２の局面による電動ポンプ交互運転制御装置では、上記のように、複数の電動ポンプのうち同一の電動ポンプについて、運転時間が所定時間を２以上の所定回数超過したことに基づいて、通知部により警告通知を行う制御部を設ける。これにより、水の流入量が一時的に多くなったことなどにより、複数の電動ポンプのうち１つの電動ポンプの運転時間が長くなった場合でも、少なくとも２回目の運転機会においては運転させることができるので、１回目の運転時に運転時間が長くなった電動ポンプを用いるのを即座に中止する場合と異なり、使用可能な電動ポンプを用い続けることができる。その結果、複数の電動ポンプを交互に効率よく用いて排水することができる。また、同一の電動ポンプについて、運転時間が第１所定時間を２以上の所定回数超過したことに基づいて、警告通知を行うことにより、不具合が生じている可能性が高い電動ポンプをユーザに適切に知らせることができる。
【発明の効果】
【００１８】
本発明によれば、上記のように、複数の電動ポンプを交互に効率よく用いて排水することが可能な電動ポンプシステムおよび電動ポンプ交互運転制御装置を提供することができる。
【図面の簡単な説明】
【００１９】
【図１】本発明の一実施形態による電動ポンプシステムを示したブロック図である。
【図２】本発明の一実施形態による電動ポンプシステムの制御装置の通知部および操作部の一例を示した図である。
【図３】本発明の一実施形態による電動ポンプシステムの制御装置によるポンプ交互運転処理を説明するためのフローチャートである。
【図４】本発明の一実施形態による電動ポンプシステムの制御装置による通知処理を説明するためのフローチャートである。
【図５】本発明の一実施形態による電動ポンプシステムの第１動作例を説明するための図である。
【図６】本発明の一実施形態による電動ポンプシステムの第２動作例を説明するための図である。
【図７】本発明の一実施形態による電動ポンプシステムの第３動作例を説明するための図である。
【発明を実施するための形態】
【００２０】
以下、本発明の実施形態を図面に基づいて説明する。
【００２１】
（電動ポンプシステムの構成）
図１〜図７を参照して、本発明の一実施形態について説明する。本実施形態による電動ポンプシステム１００は、タンク２に流入する水を排水するように構成されている。電動ポンプシステム１００は、図１に示すように、制御装置１と、タンク２と、水中電動ポンプ３ａおよび３ｂと、水位検知部４とを備えている。また、電動ポンプシステム１００は、電力を供給する電力供給部５に接続されている。制御装置１は、制御部１１と、通知部１２と、操作部１３とを含んでいる。なお、制御装置１は、特許請求の範囲の「制御装置」および「電動ポンプ交互運転制御装置」の一例である。また、水中電動ポンプ３ａおよび３ｂは、特許請求の範囲の「電動ポンプ」の一例である。
【００２２】
制御装置１は、タンク２内に設けられた水中電動ポンプ３ａおよび３ｂの交互運転を制御するように構成されている。具体的には、制御装置１の制御部１１は、水位検知部４により検知した水位に基づいて、複数の水中電動ポンプ３ａおよび３ｂを交互に運転させるように構成されている。つまり、制御装置１（制御部１１）は、タンク２内の水位がＯＮ水位以上になったことに基づいて、水中電動ポンプ３ａおよび３ｂのうち一方を運転させて、タンク２内の水を排水させる。その後、制御装置（制御部１１）は、タンク２内の水位がＯＦＦ水位以下になったことに基づいて、運転中の水中電動ポンプ３ａまたは３ｂの運転を停止させる。そして、制御装置１（制御部１１）は、次に、タンク２内の水位がＯＮ水位以上になった場合は、水中電動ポンプ３ａおよび３ｂのうち他方を運転させて、タンク２内の水を排水させる。その後、制御装置１（制御部１１）は、同様に水中電動ポンプ３ａおよび３ｂを交互に運転させながら、タンク２内の水を排水させる。
【００２３】
ここで、本実施形態では、制御部１１は、複数の水中電動ポンプ３ａおよび３ｂのうち同一の水中電動ポンプについて、運転時間が第１所定時間を２以上の所定回数（たとえば、３回）超過したことに基づいて、警告通知を行うように構成されている。具体的には、制御部１１は、複数の水中電動ポンプ３ａおよび３ｂのうち同一の水中電動ポンプについて、運転時間が第１所定時間を２以上の所定回数連続して超過したことに基づいて、警告通知を行うように構成されている。なお、第１所定時間は、タンク２の容量、水中電動ポンプ３ａおよび３ｂの性能、タンク２内に流入する水の平均量などに基づいて設定される。
【００２４】
また、本実施形態では、制御部１１は、運転中の水中電動ポンプ３ａまたは３ｂの運転時間が第１所定時間を超過した場合に、予備警告通知を行うように構成されている。また、制御部１１は、運転時の運転時間が第１所定時間を超過して予備警告通知が行われている水中電動ポンプ３ａまたは３ｂについて、次の運転時の運転時間が第１所定時間以内である場合に、予備警告通知を解除するように構成されている。
【００２５】
また、制御部１１は、運転中の水中電動ポンプ３ａまたは３ｂの運転時間が第１所定時間を超過した場合に、運転中の水中電動ポンプ３ａまたは３ｂの運転を継続しながら、複数の水中電動ポンプ３ａおよび３ｂのうち運転停止中の水中電動ポンプを運転させるように構成されている。また、制御部１１は、運転中の水中電動ポンプ３ａまたは３ｂの運転時間が第１所定時間を超過した場合に、運転中の水中電動ポンプ３ａまたは３ｂの運転を継続しながら、運転停止中の水中電動ポンプ３ａまたは３ｂを運転させた場合において、運転時間が第２所定時間を超過したことに基づいて、予備警告通知を行うように構成されている。
【００２６】
また、制御部１１は、複数の水中電動ポンプ３ａおよび３ｂに対する電力の供給を切り替えることにより、複数の水中電動ポンプ３ａおよび３ｂを交互に運転させる制御を行うように構成されている。つまり、制御部１１は、水中電動ポンプ３ａ（３ｂ）に電力を供給することにより、水中電動ポンプ３ａ（３ｂ）を運転させるとともに、水中電動ポンプ３ａ（３ｂ）への電力の供給を停止することにより、水中電動ポンプ３ａ（３ｂ）の運転を停止させるように構成されている。制御部１１は、運転時間が第１所定時間を２以上の所定回数（たとえば、３回）連続して超過した水中電動ポンプ３ａまたは３ｂについて、今後の運転を中止するように構成されている。
【００２７】
また、制御部１１は、ユーザの操作部１３の操作により、水中電動ポンプ３ａおよび３ｂをマニュアル運転モードで運転させるように構成されている。具体的には、制御部１１は、水中電動ポンプ３ａまたは３ｂの試験運転操作が行われた場合、指定された水中電動ポンプを強制運転させるように構成されている。また、制御部１１は、マニュアル運転モードに設定された場合に、所定時間（たとえば、１０秒）以内に起動／停止の操作が行われなかった場合、マニュアル運転モードから自動で交互運転を行う自動運転モードに切り替えるように構成されている。また、制御部１１は、マニュアル運転モードに設定されている場合に、水位検知部４がＯＮ水位以上を検知した場合に、自動運転モードに切り替えて、水中電動ポンプ３ａまたは３ｂを運転させるように構成されている。これにより、誤操作でマニュアル運転モードに切り替えられた場合や、マニュアル運転モードから自動運転モードに切り替え忘れた場合でも、自動で自動運転モードに切り替えることが可能である。
【００２８】
通知部１２は、ＬＥＤを含み、光により警告を通知するように構成されている。通知部１２は、たとえば、図２に示すように、電源のＯＮ／ＯＦＦを示すＬＥＤ、運転の状態を示すＬＥＤ、自動交互運転（自動運転モード）を示すＬＥＤ、１号ポンプ（水中電動ポンプ３ａ）のＬＥＤ、２号ポンプ（水中電動ポンプ３ｂ）のＬＥＤ、手動運転（マニュアル運転モード）を示すＬＥＤ、および、警告ＬＥＤを含んでいる。通知部１２の各ＬＥＤは、点灯、点滅により状態や警告を通知するように構成されている。特に、水中電動ポンプ３ａのＬＥＤ、水中電動ポンプ３ｂのＬＥＤおよび警告ＬＥＤは、点灯、点滅により警告を通知するように構成されている。なお、通知部１２は音により警告を通知してもよい。
【００２９】
操作部１３は、制御装置１へのユーザの操作を受け付けるように構成されている。たとえば、操作部１３は、電動ポンプシステム１００の電源のＯＮ／ＯＦＦ操作を受け付けるように構成されている。操作部１３は、マニュアル運転モードと自動運転モードを切り替える操作を受け付けるように構成されている。また、操作部１３は、第１所定時間および第２所定時間の設定操作を受け付けるように構成されている。操作部１３は、たとえば、図２に示すように、モード切替ボタンおよび起動／停止ボタンを含んでいる。モード切替ボタンは、自動で交互運転を行う自動運転モードと、手動で運転させるマニュアル運転モードとを切り替えるために操作されるように構成されている。起動／停止ボタンは、マニュアル運転モード時に水中電動ポンプ３ａまたは３ｂの運転を手動で起動／停止させるために操作されるように構成されている。
【００３０】
水中電動ポンプ３ａおよび３ｂは、タンク２内に配置されている。また、水中電動ポンプ３ａおよび３ｂは、タンク２内の水を外部に排水するように構成されている。また、水中電動ポンプ３ａおよび３ｂは、制御装置１から電力が供給させることにより運転するように構成されている。また、水中電動ポンプ３ａおよび３ｂは、水中でも使用可能に構成されている。
【００３１】
水位検知部４は、複数の水中電動ポンプ３ａおよび３ｂにより排水される領域（タンク２内）の水位を検知するように構成されている。具体的には、水位検知部４は、タンク２から水を排水する必要があるＯＮ水位と、タンク２から水が略抜けた状態のＯＦＦ水位とを検知するように構成されている。つまり、ＯＮ水位は、タンク２の上方の位置の水位であり、ＯＦＦ水位は、タンク２の下方の位置の水位である。水位検知部４は、制御装置１に接続されている。また、水位検知部４は、水位検知信号を制御装置１に送信するように構成されている。水位検知部４は、たとえば、フロート式スイッチや、通電式スイッチなどにより構成されている。
【００３２】
電力供給部５は、制御装置１に電力を供給するように構成されている。また、電力供給部５は、制御装置１を介して、水中電動ポンプ３ａおよび３ｂに電力を供給するように構成されている。なお、電力供給部５は、商用電力を供給してもよいし、バッテリなどから電力を供給してもよい。また、電力供給部５は、交流電力を供給してもよいし、直流電力を供給してもよい。
【００３３】
（ポンプ交互運転処理）
図３を参照して、制御装置１（制御部１１）によるポンプ交互運転処理について説明する。
【００３４】
電動ポンプシステム１００が起動されると、ステップＳ１において、制御部１１は、タンク２内の水位を判断する。具体的には、制御部１１は、水位検知部４の検知結果に基づいて、タンク２内の水位がＯＮ水位以上か、ＯＮ水位後ＯＦＦ水位以下となったか、または、それ以外かを判断する。それ以外であれば、ステップＳ１の判断が繰り返される。タンク２内の水位が、ＯＮ水位以上と判断されれば、ステップＳ２に進み、タンク２内の水位が、ＯＮ水位以上に増加した後、ＯＦＦ水位以下に低下したと判断されれば、ステップＳ９に進む。
【００３５】
ステップＳ２において、制御部１１は、メインポンプが水中電動ポンプ３ａであるか、または、水中電動ポンプ３ｂであるかを判断する。メインポンプが水中電動ポンプ３ａであれば、ステップＳ３に進み、メインポンプが水中電動ポンプ３ｂであれば、ステップＳ６に進む。
【００３６】
ステップＳ３において、制御部１１は、水中電動ポンプ３ａをＯＮにする。具体的には、制御部１１は、水中電動ポンプ３ａに電力を供給して、水中電動ポンプ３ａを運転させる。また、制御部１１は、通知部１２の水中電動ポンプ３ａのＬＥＤをＯＮにする（点灯させる）。
【００３７】
ステップＳ４において、制御部１１は、水中電動ポンプ３ａの運転時間が第１所定時間を超過しているか否かを判断する。運転時間が第１所定時間を超過していれば、ステップＳ５に進み、運転時間が第１所定時間を超過していなければ、ステップＳ１に戻る。ステップＳ５において、制御部１１は、水中電動ポンプ３ｂをＯＮにする。具体的には、制御部１１は、水中電動ポンプ３ｂに電力を供給して、水中電動ポンプ３ｂを追っかけ運転させる。また、制御部１１は、通知部１２の水中電動ポンプ３ｂのＬＥＤを点滅させる。その後、ステップＳ１に戻る。
【００３８】
ステップＳ２においてメインポンプが水中電動ポンプ３ｂであると判断されると、ステップＳ６において、制御部１１は、水中電動ポンプ３ｂをＯＮにする。具体的には、制御部１１は、水中電動ポンプ３ｂに電力を供給して、水中電動ポンプ３ｂを運転させる。また、制御部１１は、通知部１２の水中電動ポンプ３ｂのＬＥＤをＯＮにする（点灯させる）。
【００３９】
ステップＳ７において、制御部１１は、水中電動ポンプ３ｂの運転時間が第１所定時間を超過しているか否かを判断する。運転時間が第１所定時間を超過していれば、ステップＳ８に進み、運転時間が第１所定時間を超過していなければ、ステップＳ１に戻る。ステップＳ８において、制御部１１は、水中電動ポンプ３ａをＯＮにする。具体的には、制御部１１は、水中電動ポンプ３ａに電力を供給して、水中電動ポンプ３ａを追っかけ運転させる。また、制御部１１は、通知部１２の水中電動ポンプ３ａのＬＥＤを点滅させる。その後、ステップＳ１に戻る。
【００４０】
ステップＳ１において水位がＯＮ水位後ＯＦＦ水位以下と判断されると、ステップＳ９において、制御部１１は、水中電動ポンプ３ａおよび３ｂをＯＦＦにする。具体的には、制御部１１は、水中電動ポンプ３ａおよび３ｂへの電力の供給を停止して、水中電動ポンプ３ａおよび３ｂの運転を停止させる。なお、この場合、運転中の水中電動ポンプは、運転が停止され、停止中の水中電動ポンプは、停止が継続される。
【００４１】
ステップＳ１０において、制御部１１は、通知処理を行う。なお、通知処理の詳細については、後述する。その後、ステップＳ１１において、制御部１１は、メインポンプを切り替える。つまり、メインポンプが水中電動ポンプ３ａである場合、メインポンプを水中電動ポンプ３ｂに切替える。一方、メインポンプが水中電動ポンプ３ｂである場合、メインポンプを水中電動ポンプ３ａに切替える。なお、一方の水中電動ポンプの使用が停止されている場合、ステップＳ１１において、メインポンプは切り替えられない。
【００４２】
（通知処理）
図４を参照して、制御装置１（制御部１１）による図３のステップＳ１０の通知処理について説明する。
【００４３】
ステップＳ２１において、制御部１１は、メインポンプが水中電動ポンプ３ａであるか、または、水中電動ポンプ３ｂであるかを判断する。メインポンプが水中電動ポンプ３ａであれば、ステップＳ２２に進み、メインポンプが水中電動ポンプ３ｂであれば、ステップＳ３４に進む。
【００４４】
ステップＳ２２において、制御部１１は、水中電動ポンプ３ａの運転時間が第１所定時間に対して２倍以上超過したか否かを判断する。つまり、制御部１１は、水中電動ポンプ３ａの運転時間が第２所定時間を超過したか否かを判断する。超過していなければ、ステップＳ２３に進み、超過していれば、ステップＳ３３に進む。ステップＳ２３において、制御部１１は、水中電動ポンプ３ａの運転時間が第１所定時間を超過したか否かを判断する。超過していなければ、ステップＳ２４に進み、超過していれば、ステップＳ２５に進む。
【００４５】
ステップＳ２４において、制御部１１は、通知部１２の水中電動ポンプ３ａのＬＥＤをＯＦＦにする（消灯させる）。また、制御部１１は、水中電動ポンプ３ａの時間超過回数Ｎａを０にリセットする。ステップＳ２５において、制御部１１は、通知部１２の水中電動ポンプ３ａのＬＥＤを点滅させる。また、制御部１１は、通知部１２の警告ＬＥＤを点滅させる。また、制御部１１は、水中電動ポンプ３ａの時間超過回数ＮａをＮａ＋１とする。
【００４６】
ステップＳ２６において、制御部１１は、水中電動ポンプ３ａの時間超過回数Ｎａが３以上か否かを判断する。Ｎａが３以上であれば、ステップＳ２７に進み、Ｎａが２以下であれば、ステップＳ２８に進む。ステップＳ２７において、制御部１１は、水中電動ポンプ３ａの使用を停止する。つまり、水中電動ポンプ３ａは、次回以降用いられなくなり、水中電動ポンプ３ｂのみが運転されることになる。
【００４７】
ステップＳ２８において、制御部１１は、水中電動ポンプ３ｂの時間超過回数Ｎｂが１以上か否かを判断する。Ｎｂが１未満（＝０）であれば、ステップＳ２９に進み、Ｎｂが１以上であれば、ステップＳ３０に進む。ステップＳ２９において、制御部１１は、通知部１２の水中電動ポンプ３ｂのＬＥＤをＯＮにする（点灯させる）。ステップＳ３０において、制御部１１は、通知部１２の水中電動ポンプ３ｂのＬＥＤを点滅させる。
【００４８】
ステップＳ３１において、制御部１１は、水中電動ポンプ３ａの時間超過回数Ｎａが０であり、かつ、水中電動ポンプ３ｂの時間超過回数Ｎｂが０であるか否かを判断する。Ｎａ＝０かつＮｂ＝０であれば、ステップＳ３２に進み、Ｎａ＝０かつＮｂ＝０でなければ、通知処理が終了される。
【００４９】
ステップＳ３２において、制御部１１は、通知部１２の警告ＬＥＤをＯＦＦにする（消灯させる）。その後、通知処理が終了される。
【００５０】
ステップＳ２２において水中電動ポンプ３ａの運転時間が第１所定時間に対して２倍以上超過したと判断されると、ステップＳ３３において、制御部１１は、通知部１２の水中電動ポンプ３ａのＬＥＤをＯＦＦにする（消灯させる）。また、制御部１１は、通知部１２の水中電動ポンプ３ｂのＬＥＤをＯＮにする（点灯させる）。また、制御部１１は、通知部１２の警告ＬＥＤをＯＮにする（点灯させる）。その後、通知処理が終了される。
【００５１】
ステップＳ２１においてメインポンプが水中電動ポンプ３ｂであると判断されると、ステップＳ３４において、制御部１１は、水中電動ポンプ３ｂの運転時間が第１所定時間に対して２倍以上超過したか否かを判断する。つまり、制御部１１は、水中電動ポンプ３ｂの運転時間が第２所定時間を超過したか否かを判断する。超過していなければ、ステップＳ３５に進み、超過していれば、ステップＳ４５に進む。ステップＳ３５において、制御部１１は、水中電動ポンプ３ｂの運転時間が第１所定時間を超過したか否かを判断する。超過していなければ、ステップＳ３６に進み、超過していれば、ステップＳ３７に進む。
【００５２】
ステップＳ３６において、制御部１１は、通知部１２の水中電動ポンプ３ｂのＬＥＤをＯＦＦにする（消灯させる）。また、制御部１１は、水中電動ポンプ３ｂの時間超過回数Ｎｂを０にリセットする。ステップＳ３７において、制御部１１は、通知部１２の水中電動ポンプ３ｂのＬＥＤを点滅させる。また、制御部１１は、通知部１２の警告ＬＥＤを点滅させる。また、制御部１１は、水中電動ポンプ３ｂの時間超過回数ＮｂをＮｂ＋１とする。
【００５３】
ステップＳ３８において、制御部１１は、水中電動ポンプ３ａの時間超過回数Ｎｂが３以上か否かを判断する。Ｎｂが３以上であれば、ステップＳ３９に進み、Ｎａが２以下であれば、ステップＳ４０に進む。ステップＳ３９において、制御部１１は、水中電動ポンプ３ｂの使用を停止する。つまり、水中電動ポンプ３ｂは、次回以降用いられなくなり、水中電動ポンプ３ａのみが運転されることになる。
【００５４】
ステップＳ４０において、制御部１１は、水中電動ポンプ３ｂの時間超過回数Ｎａが１以上か否かを判断する。Ｎａが１未満（＝０）であれば、ステップＳ４１に進み、Ｎａが１以上であれば、ステップＳ４２に進む。ステップＳ４１において、制御部１１は、通知部１２の水中電動ポンプ３ａのＬＥＤをＯＮにする（点灯させる）。ステップＳ４２において、制御部１１は、通知部１２の水中電動ポンプ３ａのＬＥＤを点滅させる。
【００５５】
ステップＳ４３において、制御部１１は、水中電動ポンプ３ａの時間超過回数Ｎａが０であり、かつ、水中電動ポンプ３ｂの時間超過回数Ｎｂが０であるか否かを判断する。Ｎａ＝０かつＮｂ＝０であれば、ステップＳ４４に進み、Ｎａ＝０かつＮｂ＝０でなければ、通知処理が終了される。
【００５６】
ステップＳ４４において、制御部１１は、通知部１２の警告ＬＥＤをＯＦＦにする（消灯させる）。その後、通知処理が終了される。
【００５７】
ステップＳ３４において水中電動ポンプ３ｂの運転時間が第１所定時間に対して２倍以上超過したと判断されると、ステップＳ４５において、制御部１１は、通知部１２の水中電動ポンプ３ａのＬＥＤをＯＮにする（点灯させる）。また、制御部１１は、通知部１２の水中電動ポンプ３ｂのＬＥＤをＯＦＦにする（消灯させる）。また、制御部１１は、通知部１２の警告ＬＥＤをＯＮにする（点灯させる）。その後、通知処理が終了される。
【００５８】
（第１動作例）
図５を参照して、本実施形態の電動ポンプシステム１００の第１動作例について説明する。第１動作例では、運転中の水中電動ポンプ３ａが第１所定時間を超過して、水中電動ポンプ３ｂが追っかけ運転を行って排水を行った後、正常に戻った例について説明する。
【００５９】
時間ｔ０において、電動ポンプシステム１００の電源がＯＮにされる。この際、メインポンプは水中電動ポンプ３ａと設定され、通知部１２の水中電動ポンプ３ａのＬＥＤが点灯される。時間ｔ１において、水位がＯＮ水位以上となると、水中電動ポンプ３ａの運転が開始される。運転開始から第１所定時間経過後の時間ｔ２において、水中電動ポンプ３ａの運転が第１所定時間を超過したとして、水中電動ポンプ３ｂが追っかけ運転される。この際、水中電動ポンプ３ｂが追っかけ運転しているとして、通知部１２の水中電動ポンプ３ｂのＬＥＤが点滅される。
【００６０】
その後、時間ｔ３において、水位がＯＦＦ水位以下となると、水中電動ポンプ３ａおよび３ｂの運転が停止される。この際、水中電動ポンプ３ａの運転時間が第１所定時間を超過したとして、通知部１２の水中電動ポンプ３ａのＬＥＤが点滅される。また、メインポンプが水中電動ポンプ３ｂと設定され、通知部１２の水中電動ポンプ３ｂのＬＥＤが点灯される。また、水中電動ポンプ３ａの運転時間が第１所定時間を超過したとして、通知部１２の警告ＬＥＤが点滅される。
【００６１】
時間ｔ４において、水位がＯＮ水位以上となると、水中電動ポンプ３ｂの運転が開始される。運転開始から第１所定時間経過前の時間ｔ５において、水位がＯＦＦ水位以下となると、水中電動ポンプ３ｂの運転が停止される。この際、メインポンプが水中電動ポンプ３ａと設定され、通知部１２の水中電動ポンプ３ｂのＬＥＤが消灯される。なお、通知部１２の水中電動ポンプ３ａのＬＥＤの点滅は維持される。また、通知部１２の警告ＬＥＤの点滅も維持される。
【００６２】
時間ｔ６において、水位がＯＮ水位以上となると、水中電動ポンプ３ａの運転が開始される。運転開始から第１所定時間経過前の時間ｔ７において、水位がＯＦＦ水位以下となると、水中電動ポンプ３ａの運転が停止される。この際、水中電動ポンプ３ａの運転時間は、第１所定時間を超過しなかったので、正常運転に戻った（つまり、水中電動ポンプ３ａに不具合は生じていなかった）として、通知部１２の水中電動ポンプ３ａのＬＥＤが消灯される。また、通知部１２の警告ＬＥＤも消灯される。また、メインポンプが水中電動ポンプ３ｂと設定され、通知部１２の水中電動ポンプ３ｂのＬＥＤが点灯される。
【００６３】
（第２動作例）
図６を参照して、本実施形態の電動ポンプシステム１００の第２動作例について説明する。第２動作例では、運転中の水中電動ポンプ３ａが第１所定時間を超過して、水中電動ポンプ３ｂが追っかけ運転を行って排水を行い、メインポンプが切り替わり、運転中の水中電動ポンプ３ｂが第１所定時間を超過して、水中電動ポンプ３ａが追っかけ運転を行って排水を行った後、正常に戻った例について説明する。
【００６４】
時間ｔ１０において、電動ポンプシステム１００の電源がＯＮにされる。この際、メインポンプは水中電動ポンプ３ａと設定され、通知部１２の水中電動ポンプ３ａのＬＥＤが点灯される。時間ｔ１１において、水位がＯＮ水位以上となると、水中電動ポンプ３ａの運転が開始される。運転開始から第１所定時間経過後の時間ｔ１２において、水中電動ポンプ３ａの運転が第１所定時間を超過したとして、水中電動ポンプ３ｂが追っかけ運転される。この際、水中電動ポンプ３ｂが追っかけ運転しているとして、通知部１２の水中電動ポンプ３ｂのＬＥＤが点滅される。
【００６５】
その後、時間ｔ１３において、水位がＯＦＦ水位以下となると、水中電動ポンプ３ａおよび３ｂの運転が停止される。この際、水中電動ポンプ３ａの運転時間が第１所定時間を超過したとして、通知部１２の水中電動ポンプ３ａのＬＥＤが点滅される。また、メインポンプが水中電動ポンプ３ｂと設定され、通知部１２の水中電動ポンプ３ｂのＬＥＤが点灯される。また、水中電動ポンプ３ａの運転時間が第１所定時間を超過したとして、通知部１２の警告ＬＥＤが点滅される。
【００６６】
時間ｔ１４において、水位がＯＮ水位以上となると、水中電動ポンプ３ｂの運転が開始される。運転開始から第１所定時間経過後の時間ｔ１５において、水中電動ポンプ３ｂの運転が第１所定時間を超過したとして、水中電動ポンプ３ａが追っかけ運転される。この際、水中電動ポンプ３ａが追っかけ運転しているとして、通知部１２の水中電動ポンプ３ａのＬＥＤが点滅される。つまり、通知部１２の水中電動ポンプ３ａのＬＥＤが点滅が維持される。
【００６７】
その後、時間ｔ１６において、水位がＯＦＦ水位以下となると、水中電動ポンプ３ａおよび３ｂの運転が停止される。この際、水中電動ポンプ３ｂの運転時間が第１所定時間を超過したとして、通知部１２の水中電動ポンプ３ｂのＬＥＤが点滅される。なお、通知部１２の水中電動ポンプ３ａのＬＥＤの点滅は維持される。また、通知部１２の警告ＬＥＤの点滅も維持される。
【００６８】
時間ｔ１７において、水位がＯＮ水位以上となると、水中電動ポンプ３ａの運転が開始される。この際、水中電動ポンプ３ａがメインポンプとして運転中であるとして、通知部１２の水中電動ポンプ３ａのＬＥＤが点灯される。運転開始から第１所定時間経過前の時間ｔ１８において、水位がＯＦＦ水位以下となると、水中電動ポンプ３ａの運転が停止される。この際、水中電動ポンプ３ａの運転時間は、第１所定時間を超過しなかったので、正常運転に戻った（つまり、水中電動ポンプ３ａに不具合は生じていなかった）として、通知部１２の水中電動ポンプ３ａのＬＥＤが消灯される。なお、通知部１２の水中電動ポンプ３ｂのＬＥＤの点滅は維持される。また、通知部１２の警告ＬＥＤの点滅も維持される。
【００６９】
時間ｔ１９において、水位がＯＮ水位以上となると、水中電動ポンプ３ｂの運転が開始される。この際、水中電動ポンプ３ｂがメインポンプとして運転中であるとして、通知部１２の水中電動ポンプ３ｂのＬＥＤが点灯される。運転開始から第１所定時間経過前の時間ｔ２０において、水位がＯＦＦ水位以下となると、水中電動ポンプ３ｂの運転が停止される。この際、水中電動ポンプ３ｂの運転時間は、第１所定時間を超過しなかったので、正常運転に戻った（つまり、水中電動ポンプ３ｂに不具合は生じていなかった）として、通知部１２の水中電動ポンプ３ｂのＬＥＤが消灯される。また、通知部１２の警告ＬＥＤも消灯される。また、メインポンプが水中電動ポンプ３ａと設定され、通知部１２の水中電動ポンプ３ａのＬＥＤが点灯される。
【００７０】
（第３動作例）
図７を参照して、本実施形態の電動ポンプシステム１００の第３動作例について説明する。第３動作例では、運転中の水中電動ポンプ３ａが第１所定時間を超過して、水中電動ポンプ３ｂが追っかけ運転を行ってもなお、第１所定時間の２倍の時間以上超過して排水を行った後、正常に戻った例について説明する。
【００７１】
時間ｔ３０において、電動ポンプシステム１００の電源がＯＮにされる。この際、メインポンプは水中電動ポンプ３ａと設定され、通知部１２の水中電動ポンプ３ａのＬＥＤが点灯される。時間ｔ３１において、水位がＯＮ水位以上となると、水中電動ポンプ３ａの運転が開始される。運転開始から第１所定時間経過後の時間ｔ３２において、水中電動ポンプ３ａの運転が第１所定時間を超過したとして、水中電動ポンプ３ｂが追っかけ運転される。この際、水中電動ポンプ３ｂが追っかけ運転しているとして、通知部１２の水中電動ポンプ３ｂのＬＥＤが点滅される。
【００７２】
その後、追っかけ運転開始から第１所定時間の２倍以上の時間以上経過後（水中電動ポンプ３ａの運転開始から第２所定時間以上経過後）の時間ｔ３３において、水位がＯＦＦ水位以下となると、水中電動ポンプ３ａおよび３ｂの運転が停止される。この際、水中電動ポンプ３ａおよび３ｂの両方を運転してもなお、運転時間が第２所定時間を超過したとして、通知部１２の警告ＬＥＤが点灯される。また、メインポンプが水中電動ポンプ３ｂと設定され、通知部１２の水中電動ポンプ３ｂのＬＥＤが点灯される。また、この場合、どちらの水中電動ポンプに、運転時間が第２所定時間を超過した原因があるか特定できないため、水中電動ポンプ３ａのＬＥＤについては敢えて点灯も点滅もされない。
【００７３】
時間ｔ３４において、水位がＯＮ水位以上となると、水中電動ポンプ３ｂの運転が開始される。運転開始から第１所定時間経過前の時間ｔ３５において、水位がＯＦＦ水位以下となると、水中電動ポンプ３ｂの運転が停止される。この際、メインポンプが水中電動ポンプ３ａと設定され、通知部１２の水中電動ポンプ３ａのＬＥＤが点灯される。また、通知部１２の水中電動ポンプ３ｂのＬＥＤが消灯される。この際、水中電動ポンプ３ａは、前回の運転時に第１所定時間を超えているものの、どちらの水中電動ポンプに原因があるか特定できないため、通知部１２の水中電動ポンプ３ａのＬＥＤは、点滅ではなく点灯とされ、通知部１２の警告ＬＥＤの点灯が継続される。
【００７４】
時間ｔ３６において、水位がＯＮ水位以上となると、水中電動ポンプ３ａの運転が開始される。運転開始から第１所定時間経過前の時間ｔ３７において、水位がＯＦＦ水位以下となると、水中電動ポンプ３ａの運転が停止される。この際、メインポンプが水中電動ポンプ３ｂと設定され、通知部１２の水中電動ポンプ３ｂのＬＥＤが点灯される。さらに、水中電動ポンプ３ｂに続き、水中電動ポンプ３ａも正常に運転を終了することができたので、いずれの水中電動ポンプにも不具合が生じていなかったとして、通知部１２の警告ＬＥＤが消灯される。
【００７５】
（本実施形態の効果）
本実施形態では、以下のような効果を得ることができる。
【００７６】
本実施形態では、上記のように、複数の水中電動ポンプ３ａおよび３ｂのうち同一の水中電動ポンプについて、運転時間が第１所定時間を２以上の所定回数超過したことに基づいて、警告通知を行う制御装置１を設ける。これにより、水の流入量が一時的に多くなったことなどにより、複数の水中電動ポンプ３ａおよび３ｂのうち１つの水中電動ポンプの運転時間が長くなった場合でも、少なくとも２回目の運転機会においては運転させることができるので、１回目の運転時に運転時間が長くなった水中電動ポンプを用いるのを即座に中止する場合と異なり、使用可能な水中電動ポンプを用い続けることができる。その結果、複数の水中電動ポンプ３ａおよび３ｂを交互に効率よく用いて排水することができる。また、同一の水中電動ポンプについて、運転時間が第１所定時間を２以上の所定回数超過したことに基づいて、警告通知を行うことにより、不具合が生じている可能性が高い水中電動ポンプをユーザに適切に知らせることができる。
【００７７】
また、本実施形態では、上記のように、制御装置１を、複数の水中電動ポンプ３ａおよび３ｂのうち同一の水中電動ポンプについて、運転時間が第１所定時間を２以上の所定回数連続して超過したことに基づいて、警告通知を行うように構成する。これにより、複数の水中電動ポンプ３ａおよび３ｂのうち同一の水中電動ポンプについて、複数回連続して運転時間が長い場合に、警告通知が行われるので、不具合が生じている可能性が高い水中電動ポンプをユーザにより適切に知らせることができる。
【００７８】
また、本実施形態では、上記のように、制御装置１を、運転中の水中電動ポンプ３ａまたは３ｂの運転時間が第１所定時間を超過した場合に、予備警告通知を行うように構成する。これにより、水中電動ポンプ３ａまたは３ｂの運転時間が長くなったことを予備警告通知によりユーザが容易に認識することができる。
【００７９】
また、本実施形態では、上記のように、制御装置１を、運転時の運転時間が第１所定時間を超過して予備警告通知が行われている水中電動ポンプ３ａまたは３ｂについて、次の運転時の運転時間が第１所定時間以内である場合に、予備警告通知を解除するように構成する。これにより、水の流入量が一時的に多くなったことなどにより、水中電動ポンプ３ａまたは３ｂの運転時間が偶然長くなった場合に、予備警告通知が継続されるのを回避することができるので、誤った警告が通知されるのを抑制することができる。
【００８０】
また、本実施形態では、上記のように、制御装置１を、運転中の水中電動ポンプ３ａまたは３ｂの運転時間が第１所定時間を超過した場合に、運転中の水中電動ポンプ３ａまたは３ｂの運転を継続しながら、複数の水中電動ポンプ３ａおよび３ｂのうち運転停止中の水中電動ポンプを運転させるように構成する。これにより、１つの水中電動ポンプでの排水が間に合わない場合に、複数の水中電動ポンプを用いて排水することができるので、確実に排水を行うことができる。
【００８１】
また、本実施形態では、上記のように、制御装置１を、運転中の水中電動ポンプ３ａまたは３ｂの運転時間が第１所定時間を超過した場合に、運転中の水中電動ポンプ３ａまたは３ｂの運転を継続しながら、運転停止中の水中電動ポンプ３ａまたは３ｂを運転させた場合において、運転時間が第２所定時間を超過したことに基づいて、予備警告通知を行うように構成する。これにより、複数の水中電動ポンプ３ａおよび３ｂを用いて排水した場合でもなお運転時間が長くなったことを予備警告通知によりユーザが容易に認識することができる。
【００８２】
また、本実施形態では、上記のように、制御装置１を、複数の水中電動ポンプ３ａおよび３ｂに対する電力の供給を切り替えることにより、複数の水中電動ポンプ３ａおよび３ｂを交互に運転させる制御を行うように構成する。これにより、水中電動ポンプ３ａおよび３ｂに複雑な制御をさせる必要がないので、装置構成を簡素化することができる。また、既存の水中電動ポンプを制御装置１に複数接続することにより、容易に電動ポンプシステム１００を構成することができる。
【００８３】
また、本実施形態では、上記のように、制御装置１を、運転時間が第１所定時間を２以上の所定回数連続して超過した水中電動ポンプ３ａまたは３ｂについて、今後の運転を中止するように構成する。これにより、不具合が生じている可能性が高い水中電動ポンプの運転が中止されるので、正常に動作可能な水中電動ポンプのみを運転させることで排水を行うことができる。
【００８４】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８５】
たとえば、上記実施形態では、電動ポンプとして水中電動ポンプを用いる構成の例を示したが、本発明はこれに限らない。本発明では、電動ポンプとして陸上電動ポンプを用いてもよい。
【００８６】
また、上記実施形態では、複数の電動ポンプのうち同一の電動ポンプについて、運転時間が第１所定時間を３回超過したことに基づいて、警告通知を行う構成の例を示したが、本発明はこれに限らない。本発明では、複数の電動ポンプのうち同一の電動ポンプについて、運転時間が第１所定時間を２回または４回以上の所定回数超過したことに基づいて、警告通知を行ってもよい。
【００８７】
また、上記実施形態では、運転時間が第１所定時間を３回連続して超過した水中電動ポンプについて、今後の運転を中止する構成の例を示したが、本発明はこれに限らない。本発明では、運転時間が第１所定時間を２回または４回以上の所定回数連続して超過した水中電動ポンプについて、今後の運転を中止するようにしてもよい。
【００８８】
また、上記実施形態では、電動ポンプシステムに水中電動ポンプ（電動ポンプ）を２つ設ける構成の例を示したが、本発明はこれに限らない。本発明では、電動ポンプシステムに３以上の電動ポンプを設けてもよい。この場合、電動ポンプを１つずつ順番に交互に運転させてもよいし、電動ポンプを複数台ずつ順番に交互に運転させてもよい。
【００８９】
また、上記実施形態では、通知部の点灯、点滅により警告を通知する構成の例を示したが、本発明はこれに限らない。本発明では、通知部により、視覚的、聴覚的、触覚的、嗅覚的のいずれの手段およびその組み合わせにおいて通知してもよい。また、通信により遠隔の端末に警告を通知してもよい。
【００９０】
また、上記実施形態では、複数の電動ポンプのうち同一の電動ポンプについて、運転時間が第１所定時間を２以上の所定回数連続して超過したことに基づいて、警告通知を行う構成の例を示したが、本発明はこれに限らない。本発明では、複数の電動ポンプのうち同一の電動ポンプについて、運転時間が第１所定時間を連続ではない２以上の所定回数超過したことに基づいて、警告通知を行ってもよい。
【００９１】
また、上記実施形態では、水中電動ポンプ（電動ポンプ）をタンク内に配置する構成の例を示したが、本発明はこれに限らない。本発明では、電動ポンプをタンク以外の排水が必要な領域に配置してもよい。たとえば、池、河川、湖などに電動ポンプを配置してもよいし、上水設備または下水設備に電動ポンプを配置してもよい。
【００９２】
また、上記実施形態では、説明の便宜上、制御装置（制御部）の処理動作を処理フローに沿って順番に処理を行うフロー駆動型のフローチャートを用いて説明したが、本発明はこれに限らない。本発明では、制御装置（制御部）の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００９３】
１  制御装置（電動ポンプ交互運転制御装置）
３ａ、３ｂ  水中電動ポンプ（電動ポンプ）
４  水位検知部
１１  制御部
１２  通知部
１００  電動ポンプシステム
【図１】
0006644418.tif 000002
【図２】
0006644418.tif 000003
【図３】
0006644418.tif 000004
【図４】
0006644418.tif 000005
【図５】
0006644418.tif 000006
【図６】
0006644418.tif 000007
【図７】
0006644418.tif 000008